(57)【特許請求の範囲】
【請求項１】
機器のボディから外側へ突出した雄方端末に、電線の一端に取り付けられたケーブル側コネクタの雌方端末を嵌合させて、両端末を電気的に接続して保持するために、雄方端末側に取り付けられる機器側コネクタであって、
このコネクタにおける機器のボディ側の端部である基端側において前記機器のボディーに固定され、環状に整列した複数の球保持孔を中間部に有し、内周側に、前記球保持孔列の前記基端側に隣接して、環状のカラー受け段部を有すると共に、このカラー受け段部から前記基端側に間隔をおいて、環状のばね受け鍔を有する円筒状の固定スリーブと、
この固定スリーブの球保持孔内に半径方向に移動自在に装入され、外側が固定スリーブの外周側へ突出した状態においては、内側が球保持孔内に没し、外側が球保持孔内に没した状態においては、内側が固定スリーブの内周側へ突出する鋼球と、
前記固定スリーブの外周に摺動自在に被挿され、内周には、前記固定スリーブの外周に突出した前記鋼球の外側部を受け入れるための球受け凹所を有し、前記固定スリーブの前記基端側に寄ったロック位置において前記鋼球を前記球保持孔内に押し込め、固定スリーブの先端側に寄った非ロック位置において前記鋼球を球受け凹所内に受け入れる円筒状のロックスリーブと、
前記固定スリーブの外周に被挿され、一端が前記固定スリーブの先端側に係止され、他端が前記ロックスリーブに係止され、ロックスリーブをロック位置に配置する方向に付勢するコイルばねと、
前記固定スリーブの内側に軸線方向摺動自在に挿入され、固定スリーブの前記基端側の一端において外周側へ突出して前記固定スリーブのカラー受け段部に係止される環状の係止突片と、他端において内周側へ突出する環状のばね受け突片とを有し、固定スリーブの先端側に寄った非ロック位置において係止突片がカラー受け段部に当接すると共に、前記鋼球を前記球保持孔内に押し込め、前記ケーブル側コネクタに押されて固定スリーブの基端側に寄ったロック位置において前記鋼球を固定スリーブの内周側に突出させる円筒状のスライドカラーと、
前記固定スリーブの内側に挿入され、前記スライドカラーのばね受け突片と前記固定スリーブのばね受け鍔との間に介設され、その外周と固定スリーブの内周との間にスライドカラーを軸線方向移動可能に受け入れる隙間が形成され、スライドカラーを非ロック位置に配置する方向に付勢する波板コイルばねとを具備し、
この波板コイルばねは、一巻き毎に等間隔複数の起伏部を有し、各巻きの伏部が次の巻きの起部と当接しており、
前記固定スリーブ内に前記ケーブル側コネクタを挿入して雌雄端末を電気的に接続した状態において、スライドカラーがケーブル側コネクタに押されてロック位置に配置され、前記鋼球がケーブル側コネクタの外周のロック溝に落ち込み、前記ロックスリーブが前記コイルばねに押されてロック位置に配置されることにより、雌雄端末の接続が拘束され、ロックスリーブを非ロック位置にスライドさせることにより、鋼球が前記球受け凹所内に逃げてケーブル側コネクタの抜取りが可能となるように構成されていることを特徴とする機器側コネクタ。
【請求項２】
機器のボディから外側へ突出した雄方端末に、電線の一端に取り付けられたケーブル側コネクタの雌方端末を嵌合させて、両端末を電気的に接続して保持するために、雄方端末側に取り付けられる機器側コネクタであって、
このコネクタにおける被固定対象物側の端部である基端側において前記機器のボディーに固定され、環状に整列した複数の球保持孔を中間部に有し、前記基端部内周に環状のばね受け鍔を有し、前記基端から前記球保持孔列の前記基端側に隣接するカラー受け段部までの内周が大径部で、カラー受け段部から先端側の内周が大径部よりわずかに内径の縮小した小径部とされる円筒状の固定スリーブと、
この固定スリーブの球保持孔内に半径方向に移動自在に装入され、外側が固定スリーブの外周側へ突出した状態においては、内側が球保持孔内に没し、外側が球保持孔内に没した状態においては、内側が固定スリーブの内周側へ突出する鋼球と、
前記固定スリーブの外周に摺動自在に被挿され、内周には、前記固定スリーブの外周に突出した前記鋼球の外側部を受け入れるための球受け凹所を有し、前記固定スリーブの前記基端側に寄ったロック位置において前記鋼球を前記球保持孔内に押し込め、固定スリーブの先端側に寄った非ロック位置において前記鋼球を球受け凹所内に受け入れる円筒状のロックスリーブと、
前記固定スリーブの外周に被挿され、一端が前記固定スリーブの先端側に係止され、他端が前記ロックスリーブに係止され、ロックスリーブをロック位置に配置する方向に付勢するコイルばねと、
前記固定スリーブの内側に軸線方向摺動自在に挿入され、固定スリーブの小径部にほぼ内接し、固定スリーブの前記基端側の一端において外周側へ突出して前記カラー受け段部に係止される環状の係止突片と、他端において内周側へ突出する環状のばね受け突片とを有し、固定スリーブの先端側に寄った非ロック位置において係止突片がカラー受け段部に当接すると共に、前記鋼球を前記球保持孔内に押し込め、前記ケーブル側コネクタに押されて固定スリーブの前記基端側に寄ったロック位置において前記鋼球を固定スリーブの内周側に突出させる円筒状のスライドカラーと、
前記固定スリーブの内側に挿入され、前記スライドカラーの内径より小径で、スライドカラーのばね受け突片と前記固定スリーブのばね受け鍔との間に介設され、その外周と固定スリーブの大径部内周との間にスライドカラーを軸線方向移動可能に受け入れる隙間が形成され、スライドカラーを非ロック位置に配置する方向に付勢する波板コイルばねとを具備し、
この波板コイルばねは、一巻き毎に等間隔複数の起伏部を有し、各巻きの伏部が次の巻きの起部と当接しており、
前記固定スリーブ内に前記ケーブル側コネクタを挿入して雌雄端末を電気的に接続した状態において、スライドカラーがケーブル側コネクタに押されてロック位置に配置され、前記鋼球がケーブル側コネクタの外周のロック溝に落ち込み、前記ロックスリーブが前記コイルばねに押されてロック位置に配置されることにより、雌雄端末の接続が拘束され、ロックスリーブを非ロック位置にスライドさせることにより、鋼球が前記球受け凹所内に逃げてケーブル側コネクタの抜取りが可能となるように構成されていることを特徴とする機器側コネクタ。
【発明の詳細な説明】
【０００１】
【発明の属する技術分野】
本発明は、例えば電線の無停電張替工事等の際に、バイパス用の電線の端末を移動変圧器車のブッシング部等にワンタッチで接続又は開離するために、機器のボディから外側へ突出した雄方端末に取り付けられる機器側コネクタに関するものである。
【０００２】
【従来の技術】
機器のボディから外側へ突出した雄方端末に機器側コネクタを取り付け、電線の端末に取り付けられたケーブル側コネクタを機器側コネクタにワンタッチで接続又は開離できるようにすることが行われている。このようなケーブルコネクタとして、実開昭６３−８４８８４号の公報に記載されたものが知られている。機器側コネクタは、雄方端末を覆うように取り付けられる固定スリーブと、固定スリーブの外周側に軸方向に摺動自在に設けられるロック用スリーブと、固定スリーブの内周側に軸方向に摺動自在に設けられるスライドカラーとを有する。固定スリーブは、内周又は外周に一部を突出させることができるように鋼球を保持しており、ロック用スリーブとスライドカラーの相対位置により、この鋼球をロック用スリーブで内側に押し込んで固定スリーブの内周側に突出させることでケーブル側コネクタをロックし、また鋼球をスライドカラーで外側に押し出して固定スリーブの外周側に突出させることでロックを解除するようになっている。ロック用スリーブとスライドカラーは、夫々コイルばねによって所定の非ロック位置に復帰するように付勢されている。ケーブル側コネクタを固定スリーブ内に挿入するとばねに抗してスライドカラーが押し込まれ、鋼球が内側へ突出してケーブル側コネクタが抜け止めされる。このロック状態で、ばねに抗してロック用スリーブを所定位置まで移動させると鋼球を外側へ押出してケーブル側コネクタを抜き取ることができる。
【０００３】
【発明が解決しようとする課題】
機器側のコネクタは、機器のボディーから突出するように設けられる接続用の雄方端末を覆うように取り付けられる。この雄方端末の標準製品は、機器のボディーからの突出長さが一定である。ところが、従来の機器側のコネクタは、構造上その軸線方向の寸法を最小にしても、雄方端末の標準の突出長さに対応することができないという問題点がある。
【０００４】
従って、本発明は、雄方端末の標準の突出長さに対応することができる、軸方向寸法の短い機器側のコネクタを提供することを課題としている。
【０００５】
【課題を解決するための手段】
固定スリーブ２の基端側を機器のボディー３１に固定できるようにし、また中間部に環状に整列した複数の球保持孔４を設ける。この球保持孔４内に半径方向に移動自在に鋼球５を装入し、鋼球５の外側が固定スリーブ２の外周側へ突出した状態では、内側が球保持孔４内に没し（図４）、外側が球保持孔４内に没した状態では、内側が固定スリーブ２の内周側へ突出する（図５）ようにする。固定スリーブ２の外周にロックスリーブ１１を被挿し、固定スリーブ２の基端側に寄ったロック位置と先端側に寄った非ロック位置との間で摺動自在とする。ロックスリーブ１１の内周には、非ロック位置において固定スリーブ２の外周に突出した鋼球５を受け入れる球受け凹所１６を設け、ロック位置においては鋼球５を保持孔４内に押し込めるようにする。固定スリーブ２の外周には、コイルばね１９を被挿し、その一端を固定スリーブ２の先端側に係止し、他端をロックスリーブ１１に係止して、ロックスリーブ１１をロック位置側に付勢する。固定スリーブ２の内側には、スライドカラー２０を挿入し、固定スリーブ２の先端側に寄った非ロック位置と、基端側に寄ったロック位置との間で軸線方向摺動自在とする。スライドカラー２０は、非ロック位置において鋼球５を球保持孔４内に押し込め、またケーブル側コネクタ３３に押されて配置されたロック位置において鋼球５を固定スリーブ２の内周側に突出させる。固定スリーブ２の内側には、波板コイルばね２４を挿入し、その一端を固定スリーブ２の基端側に係止し、他端をスライドカラー２０に係止して、スライドカラー２０を非ロック位置側に付勢する。この波板コイルばね２４は、一巻き毎に等間隔複数の起伏部２５，２６を有し、各巻きの伏部２６が次の巻きの起部２５と当接する構造のものとする。
【０００６】
固定スリーブ２内にケーブル側コネクタ３３を挿入して雄方端末３２と雌方端末３４を電気的に接続した状態において、スライドカラー２０がケーブル側コネクタ３３に押されてロック位置に配置され、鋼球５がケーブル側コネクタ３３のロック溝３５に落ち込み、ロックスリーブ２がコイルばね１９に押されてロック位置に配置されることにより、雄方端末３２と雌方端末３４の接続が拘束される。この状態から、ロックスリーブ１１を非ロック位置にスライドさせることにより、鋼球５が球受け凹所１６内に逃げてケーブル側コネクタ３３の抜取りが可能となる。
【０００７】
波板コイルばね２４は、比較的少ない巻数で所望の反力を得ることができ、かつ反力が円周方向に均一で、圧縮時に不均一な撓みを生じない。このため、コネクタの軸線方向の寸法の縮小に貢献する。コイルばねを固定スリーブ２の先端側に配置することで、基端側の軸方向寸法の縮小を可能にした。
【０００８】
【発明の実施の形態】
図面を参照して本発明の実施の形態を説明する。図１は機器側コネクタとケーブル側コネクタの断面図、図２は機器側コネクタの正面図、図３は機器側コネクタの側面図、図４は機器側コネクタの非ロック状態の一部の断面図、図５は機器側コネクタのロック状態の一部の断面図、図６は波板コイルばねの正面図、図７は波板コイルばねの横断平面図、図８は他の実施形態の機器側コネクタの一部を切断した正面図、図９は他の実施形態の機器側コネクタの側面図である。
【０００９】
図１において、機器側のコネクタ１は、機器のボディー３１から突出して設けられた接続用の雄方端末３２を覆うように取り付けられる。電線の一端に取り付けられたケーブル側コネクタ３３は、機器側の雄方端末３２に嵌合して電気的に機器側に導通する雌方端末３４を備えており、先端側の外周には環状のロック溝３５が形成されている。
【００１０】
図１ないし図５において、機器側コネクタ１の固定スリーブ２は、機器のボディ３１側の端部である基端側において機器のボディー３１から突出した保護スリーブ３６に固定できるようになっている。即ち、固定スリーブ２は筒状であり、基端側に固定された袋ナット３を介して保護スリーブ３６に螺合固定される。固定スリーブ２の中間部には、半径方向に貫通した複数の球保持孔４を有する。球保持孔４は、環状に整列して配置され、その中に半径方向に移動自在に鋼球５が装入されている。鋼球５は、その外側が固定スリーブ２の外周側へ突出した状態（図４）では、内側が球保持孔４内に没し、外側が球保持孔４内に没した状態では、内側が固定スリーブ２の内周側へ突出するようになっている。固定スリーブ２の内周側は、基端から球保持孔列の隣接位置までが大径部６で、段部７を介してそれより先端側が大径部６よりわずかに内径の縮小した小径部８となっている。環状の段部７は、球保持孔４の列の基端側に隣接して配置されている。固定スリーブ２の基端側には、環状のばね受け鍔９を有し、先端部外周には環状のばね受け凸部１０を有する。
【００１１】
固定スリーブ２の外周には、円筒状のロックスリーブ１１が被挿されている。ロックスリーブ１１は、固定スリーブ２の基端側に寄ったロック位置（図５）と先端側に寄った非ロック位置（図１、図４）との間で、固定スリーブ２の外周上で軸線方向に摺動自在である。ロックスリーブ１１の内周側は、固定スリーブ２の基端側の一端から軸方向中間の段部１２に至る小径部１３と、段部１２から他端に至る大径部１４とを有する。小径部１３は固定スリーブ２の外周に摺接する内径であり、大径部１４はこれよりわずかに大きな内径で、固定スリーブ２の外周との間にばね挿入用の間隙１５を形成している。小径部１３の内周側には、鋼球５を受け入れるための球受け凹所１６が、固定スリーブ２の球保持孔４に対応する間隔で複数設けられている。ロックスリーブ１１の他端部には、軸線方向に切り込まれた位置決め溝１７が設けられ、固定スリーブ２の先端側外周に突設された位置決めピン１８が溝１７に係合している状態で、球受け凹所１６が、球保持孔４に対応する円周方向の角度位置にある。しかして、ロックスリーブ１１は、ロック位置においては鋼球５を球保持孔４内に押し込めて固定スリーブ２の内周側へ突出させ（図５）、非ロック位置においては鋼球５を球受け凹所１６内に受け入れ（図４）ることができる。コイルばね１９は、ばね挿入間隙内１５内に挿入されており、常時ロックスリーブ１１を固定スリーブ２の基端側寄りのロック位置に配置するように付勢している。ロックスリーブ１１の一端部は、ロック位置において袋ナット３の側面に当接している（図５）。
【００１２】
固定スリーブ２の内側には、スライドカラー２０が挿入されている。スライドカラー２０は、固定スリーブ２の先端側に寄った非ロック位置（図５）と、基端側に寄ったロック位置（図４）との間で軸ロック位置において鋼球５を固定スリーブ２の内周側に突出させる。スライドカラー２０は、固定スリーブ２の小径部８にほぼ内接する円筒部２１と、この円筒部２１の一端において外周側へ突出した係止突片２２と、他端において内周側へ突出する環状のばね受け突片２３とを有する。係止突片２２は、非ロック位置において段部７に当接して係止される。
【００１３】
円筒部２１の内側には、波板コイルばね２４が挿入されている。波板コイルばね２４は、一巻き毎に等間隔複数の起伏部２５，２６を有し、各巻きの伏部２６が次の巻きの起部２５と当接する構造のものである。このばね２４は、比較的少ない巻数で所望の反力を得ることができ、かつ反力が円周方向に均一で、圧縮時に不均一な撓みを生じない。この波板コイルばね２４は、スライドカラー２０のばね受け突片２３と固定スリーブのばね受け鍔９との間に介設され、スライドカラー２０を非ロック位置側に付勢する。波板コイルばね２４の外周と固定スリーブの大径部６の内周との間にはスライドカラー２０を軸線方向移動可能に受け入れる隙間２７が形成される。波板コイルばね２４は、均一に直線的に伸縮するから、特別なガイドなしに挿入されている。
【００１４】
そして、固定スリーブ２内にケーブル側コネクタ３３を挿入して雄方端末３２と雌方端末３４を電気的に接続した状態において、スライドカラー２１がケーブル側コネクタ３３に押されてロック位置に配置され（図５）、鋼球５がケーブル側コネクタ３３のロック溝３５に落ち込み、ロックスリーブ１１がコイルばね１９に押されてロック位置に配置される（図５）ことにより、雄方端末３２と雌方端末３４の接続が拘束される。この状態から、ロックスリーブ１１を非ロック位置（図４）にスライドさせることにより、鋼球５が球受け凹所１６内に逃げてケーブル側コネクタ３３の抜取りが可能となる。
【００１５】
図８、図９には他の実施形態の機器側コネクタ１を示す。このコネクタ１は、機器のボディー３１への取付け構造が前記実施形態におけるものと異なるのみであるから、同等の構成部分について同一の符号を付して説明を省略する。即ち、この実施形態においては、前記実施形態における袋ナット３に代えて、矩形の取付け座２８を設けた。取付け座２８は、機器のボディー３１へボルト止めするためのボルト挿通孔２９を４隅に備えている。
【００１６】
【発明の効果】
以上のように、本発明においては、波板コイルばね２４の採用と、ロックスリーブ１１、コイルばね１９、スライドカラー２１、波板コイルばね２４の配置及びその動作方向の工夫により、特に固定スリーブ２の基端から鋼球５までの寸法を縮小して、標準寸法の雄方端末３２及びこれに接続される雌方端末３４を備えたケーブル側コネクタ３３に対応できるケーブル接続用機器側コネクタを提供すすことができるという効果を有する。
【図面の簡単な説明】
【図１】  図１は機器側コネクタとケーブル側コネクタの断面図である。
【図２】  機器側コネクタの正面図である。
【図３】  機器側コネクタの側面図である。
【図４】  機器側コネクタの非ロック状態の一部の断面図である。
【図５】  機器側コネクタのロック状態の一部の断面図である。
【図６】  波板コイルばねの正面図である。
【図７】  波板コイルばねの横断平面図である。
【図８】  他の実施形態の機器側コネクタの一部を切断した正面図である。
【図９】  他の実施形態の機器側コネクタの側面図である。
【符号の説明】
２    固定スリーブ
４    球保持孔
５    鋼球
１１  ロックスリーブ
１６  球受け凹所
１９  コイルばね
２０  スライドカラー
２４  波板コイルばね
２５  起部
２６  伏部
３１  機器のボディー
３２  雄方端末
３３  ケーブル側コネクタ
３４  雌方端末
【図１】
0003781223.tif 000002
【図２】
0003781223.tif 000003
【図３】
0003781223.tif 000004
【図４】
0003781223.tif 000005
【図５】
0003781223.tif 000006
【図６】
0003781223.tif 000007
【図７】
0003781223.tif 000008
【図８】
0003781223.tif 000009
【図９】
0003781223.tif 000010